(57)【要約】印刷機におけるシートのアライメントに対して装置が与えられる。当該装置は、前進方向におけるシートのアライメント、前進方向に対して横断する方向におけるアライメント、及びスキューに対する、２組のローラを有する。ローラの各組は、駆動ローラ及びカウンタプレッシャローラを有する。１つのドライブユニットは、２つの駆動ローラの各々に対して与えられ、ドライブユニットの各々は、モータ、及びそこに連結されるドライブシャフトを有する。駆動ローラは、夫々のドライブシャフトにおいてねじれを有さずに収容される。駆動ローラは、駆動シャフトにおいて線形方向に摺動され得るか、あるいは、夫々の駆動シャフト及びそこに収容される駆動ローラは、駆動モータに対して線形にシフトされ得る。更には、駆動モータを有するシフトユニットは、シートの前進方向に対して横断する方向において駆動ローラをシフトするよう与えられる。シフトユニットは、両方の駆動ローラを同期的に動かすよう構成される。上述された種類の装置におけるシートのアライメントに対する方法において、装置におけるシートのスキューは、最初に検出され、検出されたスキューに基づき、駆動ローラの回転動作は、スキュー修正を行なうよう個別に制御される。更には、シートの前進方向に対して横断する方向におけるシートの位置は検出され、シートの前進方向に対して横断する駆動ローラのシフトは、前進方向に対して横断する方向において事前に特定された位置へとシートをもたらすよう、制御される。
2010504260.tif 000002
【特許請求の範囲】
【請求項１】
印刷機におけるシートのアライメントに対する装置であって：
前進方向に対して横断する方向における、並びにスキュー位置に対する、シートのアライメントに対する、各組が駆動ローラ及び自由に回転可能であるよう担持されるカウンタプレッシャローラを有する、２組のローラと、
２つの駆動ローラの各々に対する１つの駆動ユニットと、
を有し、
前記駆動ユニットの各々は、モータ及びそこに連結される駆動シャフトを有し、前記駆動ローラは、夫々の駆動シャフトにおいてねじれずに収容され、
前記カウンタプレッシャローラ及び／又は前記駆動ローラのランニング表面は、前記前進方向に対して横断方向に延在するカム輪郭を有し、
該カム輪郭は、前記ランニング表面を横断方向において二分する平面において位置決めされる中心を有する円形カムを定義付ける、ことを特徴とする、
装置。
【請求項２】
前記駆動ローラは、前記駆動シャフトにおいて線形方向にシフトされ得、また、
前記駆動シャフトに沿って前記駆動ローラを摺動させるよう駆動モータを有するシフトユニットが与えられ、該シフトユニットは、両方の前記駆動ローラを前記駆動シャフトに沿って同期的に動かすよう適合される、
ことを特徴とする請求項１記載の装置。
【請求項３】
前記駆動シャフトの夫々、及びそこに収容される前記駆動ローラは、前記駆動モータに対して線形方向にシフトされ得、また、
前記駆動シャフトの夫々及びそこに収容される前記駆動ローラをシートの前記前進方向に対して横断する方向においてシフトする駆動モータを有するシフトユニットが与えられ、該シフトユニットは、前記駆動シャフト及びそこに収容される駆動ローラの両方を同期的に動かすよう構成される、
ことを特徴とする請求項１記載の装置。
【請求項４】
前記駆動シャフトの長手方向において前記駆動ローラに剛性に連結する、少なくとも１つのコネクタによって特徴付けられる、
請求項１又は２記載の装置。
【請求項５】
少なくとも１つのベアリングは、夫々、前記コネクタと夫々１つの前記駆動ローラとの間に置かれ、前記コネクタと前記駆動ローラとの間の相対回転を可能にする、
ことを特徴とする請求項４記載の装置。
【請求項６】
前記シフトユニットの前記駆動モータは、前記コネクタに連結される、
ことを特徴とする請求項４又は５記載の装置。
【請求項７】
前記カウンタプレッシャローラは、共通アクスルにおいて自由に回転可能であるよう担持される、
ことを特徴とする請求項１乃至６のうちいずれか一項記載の装置。
【請求項８】
前記カウンタプレッシャローラを前記駆動ローラと同期的にシフトする追加的なシフトユニットによって特徴付けられる、
請求項１乃至７のうちいずれか一項記載の装置。
【請求項９】
前記追加的なシフトユニットは、前記共通アクスルに連結され、その長手方向に沿って該アクスルを摺動させるようする、
ことを特徴とする請求項７及び８記載の装置。
【請求項１０】
前記追加的なシフトユニットは、第１のシフトユニットの前記駆動モータに連結される、
ことを特徴とする請求項８又は９記載の装置。
【請求項１１】
前記カウンタプレッシャローラは、前記駆動ローラの前記駆動シャフトの長手方向において当該装置に固定的に保持される、
ことを特徴とする請求項１乃至７のうちいずれか一項記載の装置。
【請求項１２】
前記カウンタプレッシャローラは、前記駆動ローラの前記駆動シャフトの長手方向において伸張部を有し、該伸張部は、前記駆動ローラの最大シフト範囲に対応する、
ことを特徴とする請求項１乃至１１のうちいずれか一項記載の装置。
【請求項１３】
前記駆動ローラの前記ランニング表面の摩擦係数は、搬送されるべきシートに対して、前記カウンタプレッシャローラの摩擦係数より大きい、
ことを特徴とする請求項１乃至１２のうちいずれか一項記載の装置。
【請求項１４】
前記駆動ローラのシフトを制御する制御ユニットによって特徴付けられ、該制御ユニットは、前記駆動ローラを開始位置から出るようシフトし、シフト動作の後には前記駆動ローラを該位置に戻すよう、適切である、
請求項１乃至１３のうちいずれか一項記載の装置。
【請求項１５】
前記駆動ローラの前記開始位置の検出に対するセンサによって特徴付けられる、
請求項１４記載の装置。
【請求項１６】
前記カウンタプレッシャローラは、前記駆動ローラの方向において偏倚される、
ことを特徴とする請求項１乃至１５のうちいずれか一項記載の装置。
【請求項１７】
前記偏倚は、前記カウンタプレッシャローラを担持する前記共通アクスルに対して中心に配置されるスプリング要素を介して作られる、
ことを特徴とする請求項１６記載の装置。
【請求項１８】
前記駆動ローラは、望ましくはセグメントローラとして構成され、前記セグメントローラは、前記シートを解放するよう周囲から切り欠きされた少なくとも１つのセグメントを有する、
ことを特徴とする請求項１乃至１７のうちいずれか一項記載の装置。
【請求項１９】
前記切り欠きされたセグメントは、前記駆動ローラの前記周囲の約１／５乃至１／８を占める、
ことを特徴とする請求項１８記載の装置。
【請求項２０】
少なくとも２つのガイドバッフルによって特徴付けられ、該ガイドバッフルは、それらの間において、前記２組のローラの接触領域と同一平面において位置決めされるシートガイドギャップを定義付ける、
請求項１乃至１９のうちいずれか一項記載の装置。
【請求項２１】
前記駆動ローラを担持する上方部と、前記カウンタプレッシャローラを担持する下方部とを有し、
前記上方部及び前記下方部は、当該装置におけるシート移動部分に対するアクセスを可能にするよう、互いに対して動かされ得る、
ことを特徴とする請求項１乃至２０のうちいずれか一項記載の装置。
【請求項２２】
少なくとも１つのガイドバッフルは、前記上方部上に担持され、少なくとも１つのガイドバッフルは、前記下方部上に担持される、
ことを特徴とする請求項２０及び２１記載の装置。
【請求項２３】
前記上方部及び前記下方部は、ピボット軸に沿って互いに対してピボットされ得る、
ことを特徴とする請求項２０又は２１記載の装置。
【請求項２４】
前記カウンタプレッシャローラをシフトする駆動要素は、前記上方部と前記下方部との間におけるピボット軸の領域において延在する、
ことを特徴とする請求項１０と組み合わせた請求項２２に記載する装置。
【請求項２５】
位置の前記検出及び当該装置におけるシートの前記アライメントに対する、複数のセンサによって特徴付けられる、
請求項１乃至２４のうちいずれか一項記載の装置。
【請求項２６】
制御ユニットによって特徴付けられ、該制御ユニットは、シート位置及び／又はシートアライメントに応じて、前記駆動ローラの１つの回転及び前記駆動シャフトに沿った該駆動ローラの協調シフトを個別に制御するよう適切である、
請求項１乃至２５記載の装置。
【請求項２７】
請求項１乃至２６のうち一項又はそれより多くの項に記載の装置におけるシートのアライメントに対する方法であって：
前記装置におけるシートのスキューを検出する段階と；
スキュー修正を実行するよう、検出された前記スキューに応じて駆動ローラの回転動作を個別に制御する段階と；
前記シートの前進方向に対して横断する方向において前記シートの位置を検出する段階と；
前記シートの前進方向に対して横断する方向において前記シートを事前に特定された位置へともたらすよう、前記シートの前記前進方向に対して横断方向における前記駆動ローラのシフトを制御する段階と、
によって特徴付けられる方法。
【請求項２８】
スキュー位置を検出するよう、前記シートの先端エッジの位置は、前記シートの前記前進方向に対して横断する方向において互いから距離を置かれる少なくとも２つの点において検出される、
ことを特徴とする請求項２７記載の方法。
【請求項２９】
前記シートの前進方向においてスキューを検出する段階は、前記駆動ローラの上流において行なわれ、また、
前記駆動ローラの回転動作の開始及び／又は速度は、該検出に基づいて制御される、
ことを特徴とする請求項２８記載の装置。
【請求項３０】
前記シートの前進方向においてスキューを検出する段階は、駆動ローラの下流において行なわれ、また、
前記駆動ローラの回転動作の開始及び／又は速度は、該検出に基づいて制御される、
ことを特徴とする請求項２８又は２９記載の装置。
【請求項３１】
少なくとも１つのラインセンサは、前記シートの前進方向に対して横断する方向において前記シートの前記位置を検出する段階に対して使用される、
ことを特徴とする請求項２７乃至３０のうちいずれか一項記載の装置。
【請求項３２】
前記シートの前記スキュー修正が行なわれると同時に、前記駆動ローラの適切な横断方向シフトを用いて、前記シートの横断方向位置の概略的又は一時的同時修正が行なわれる、
ことを特徴とする請求項２７乃至３０のうちいずれか一項記載の装置。
【請求項３３】
前記駆動ローラは、切り欠きされたセグメントが前記シートのスキュー修正に続いて同一の回転の位置にあるよう始動される、
ことを特徴とする、前記駆動ローラが請求項１０又は２０記載の設計を有する場合における、請求項２７乃至３２のうちいずれか一項記載の方法。
【請求項３４】
前記シートの前記位置は、その前進方向において検出され、また、
前記駆動ローラの前記回転動作は、前記シートの前進方向において事前に特定された位置へと前記シートをもたらすよう制御される、
ことを特徴とする請求項２７乃至３０のうちいずれか一項記載の方法。
【請求項３５】
前記駆動ローラの前記回転動作を制御する段階は、前記回転動作の前記速度の少なくとも１つの同時変化を有する、
ことを特徴とする請求項３４記載の方法。
【請求項３６】
前進方向における前記シートの前記位置は、電子写真印刷に対して、電子写真印刷フォームの既に稼働している電子写真イメージングの先端エッジに適合される、
ことを特徴とする請求項３４又は３５記載の方法。
【請求項３７】
請求項１乃至２６のうちいずれか一項記載の装置を有する印刷機であって、
該装置は、少なくとも１つの印刷ユニットに対して上流に配置される、
ことを特徴とする印刷機。
【請求項３８】
当該印刷機は、電子写真印刷機であり、また、
前記装置は、電子写真印刷に対して、当該印刷機の電子写真印刷フォームの既に稼働している電子写真イメージングの位置に対してシートの位置を適合させるよう、制御され得る、
ことを特徴とする請求項３７記載の印刷機。
【発明の詳細な説明】
【技術分野】
【０００１】
本発明は、特には電子写真的に動作する印刷機（ａｎ  ｅｌｅｃｔｒｏｐｈｏｔｏｇｒａｐｈｉｃａｌｌｙ  ｏｐｅｒａｔｉｎｇ  ｐｒｉｎｔｉｎｇ  ｍａｃｈｉｎｅ）である印刷機における、シート形状の基板のアライメント（位置合わせ、ａｌｉｇｎｍｅｎｔ）に対する方法及び装置に係る。
【背景技術】
【０００２】
特にはデジタルマルチカラー印刷技術である印刷技術において、シート形状の基材が印刷される前に、前進方向における基材の位置及び前進方向に対して横断する位置に対して該基材を正確にアラインする（位置合わせする、ａｌｉｇｎ）こと、及び、潜在的なスキュー（ｐｏｔｅｎｔｉａｌ  ｓｋｅｗｉｎｇ）を考慮して基材をアラインすることは、既知である。シート形状基材のアラメントに対する装置及び方法は、例えばＵＳ６，６６３，１０３  Ｂ２（特許文献１）から既知である。該特許文献１において記載される装置は、互いに対して平行であり且つシートの前進方向において互いから距離を置く多種のアクスルにおける複数組のローラを有し、該ローラの組は、異なるアライメント動作を実行する。この装置及び方法においては、互いに対して平行であり且つシートの前進方向において互いから距離を置くローラの組のアクスルにより、装置が大きな空間を占めてしまう、という技術的問題が発生する。更に、前進方向において互いから距離を置くローラの組の間において転写（トランスファ）が行なわれる際、アライメント・エラー（既に前に修正されたもの）が取り込まれ得る。
【０００３】
更に、印刷機械におけるシート形状基板のアライメントに対する方法及び装置は、ＤＥ  ６９１  ２４  ７５５  Ｔ２（特許文献２）から既知である。該文献に記載される装置には、シートの前進方向に対して横断する方向において間隔を離された２組の搬送ローラが与えられる。搬送ローラの各組は、１つの駆動ローラ及び１つのカウンタプレッシャ（ｃｏｕｎｔｅｒ−ｐｒｅｓｓｕｒｅ）ローラを有し、それらはいずれも、共通キャリッジにおいて配置される。駆動ローラに対する駆動モータはまた、共通キャリッジにおいて位置決めされる。シートのスキューの修正を達成するよう、駆動ローラは、例えば適時に異なる点において、並びに／あるいは異なる回転速度において、始動され得る。前進方向に対して横断するシート位置の修正を達成するよう、搬送ローラの組、及び駆動ローラに対する駆動モータを担持する前述されたキャリッジは、横断方向においてシフトされ得る。これを達成するために、キャリッジは、横断方向にシフト可能であるようキャリッジガイド上に位置決めされ、モータは、該ガイドに沿ったキャリッジのシフトを制御するよう与えられる。モータは、駆動ローラに対する駆動モータを有し、キャリッジ全体を動かす必要があるため、比較的強く設計されなければならない。更には、キャリッジの全体的組立ては、キャリッジのシフトの結果として発生する振動がシートアラインメント及び／又はキャリッジのインテグリティを損なうことを防ぐよう、非常に堅固に設計されなければならない。
【先行技術文献】
【特許文献】
【０００４】
【特許文献１】ＵＳ６，６６３，１０３  Ｂ２
【特許文献２】ＤＥ  ６９１  ２４  ７５５  Ｔ２
【発明の概要】
【発明が解決しようとする課題】
【０００５】
既知である先行技術を考慮し、本発明は、前述された参照文献の１つ又はそれより多くの不利点を回避する、印刷機におけるシート形状の基材のアライメントに対する方法及び装置を与える、ことを目的とする。
【課題を解決するための手段】
【０００６】
この目的は、印刷機におけるシートのアライメントに対する装置を使用して達成される。当該装置は、前進方向におけるシートのアライメント、前進方向に対して横断する方向におけるアライメント、並びにスキューに対する、２組のローラを有する。各ローラの組は、駆動ローラ、及び自由回転可能に担持されるカウンタプレッシャローラを有する。夫々１つの駆動ユニットは、２つの駆動ローラの各々に対して与えられる。駆動ユニットの各々は、モータ及びそこに連結される駆動シャフトを有する。駆動ローラは、その駆動シャフト上にねじれずに（ｎｏｎ−ｔｏｒｓｉｏｎａｌｌｙ）収容される。また、駆動シャフトに沿って駆動ローラを摺動させるよう駆動モータを有するシフトユニットが与えられ、該シフトユニットは、両方の駆動ローラを駆動シャフトに沿って同期的に（ｉｎ  ｓｙｎｃｈｒｏｎｉｚｅｄ  ｍａｎｎｅｒ）動かすよう適合される。駆動シャフト上において駆動ローラをシフトすることによって、前出の特許文献２における場合と比較して、前進方向に対して横断する方向におけるシフトに対するモータの設計寸法を実質的に低減することは、可能である。更には、駆動シャフトに沿った駆動ローラのかかるシフトを有して、実質的により小さな力が使用され始め、より少ない振動が装置において予想される。故に、前述された装置における場合と比較して、振動に関してより起伏が激しくなく（ｌｅｓｓ  ｒｕｇｇｅｄ）なり得る装置の設計が可能となる。望ましくは、少なくとも１つのコネクタは与えられ、駆動シャフトに沿った駆動ローラの同期シフトを与えるよう、駆動シャフトの長手方向において駆動ローラを剛性に連結させる。結果として、駆動ローラ間の距離は、シートの横断方向シフト中に同一なまま残る、ことが達成される。有利には、ベアリングは、コネクタと、駆動ローラの夫々１つとの間に置かれ、コネクタと駆動ローラとの間の相対回転を可能にする。具体的には、シフトユニットの駆動モータは、コネクタに連結され、一般的に２つの駆動ローラ間に位置決めされるコネクタを介して横断方向シフトを与えるようにする。
【０００７】
本発明に従った望ましい一実施例において、駆動ローラ及び／又はカウンタプレッシャローラのランニング表面（ｒｕｎｎｉｎｇ  ｓｕｒｆａｃｅ）は、前進方向に対して横断方向に延在するカム輪郭（ｃａｍ  ｃｏｎｔｏｕｒ）を有する。かかるカム輪郭を用いて、駆動ローラとカウンタプレッシャローラとの間のクランプ点は、駆動ローラ及びカウンタプレッシャローラの回転の軸の位置に依存せず、基本的に同一の位置にとどまる、ことが達成され得る。このことが重要であるのは、適当な（ｐｒｏｐｅｒ）シートスキュー修正が、クランプ表面の各々の間における正確な距離が分かること、及び、カウンタプレッシャローラに対する駆動ローラのシフト中又は協調シフト（ｊｏｉｎｔ  ｓｈｉｆｔ）中でも距離が変わっていけないこと、を必要とするためである。望ましくは、カム輪郭は、ランニング表面をシートの前進方向に対して横断する方向において二分する平面において位置決めされる中心を有する円形カム（ｃｉｒｃｕｌａｒ  ｃａｍ）を定義付ける。
【０００８】
有利には、カウンタプレッシャローラは、共通軸において自由に回転可能であるよう担持され、その結果として、単純な設計がカウンタプレッシャローラの配置に対して達成される。有利には駆動ローラと同期的に（ｓｙｎｃｈｒｏｎｏｕｓｌｙ）カウンタプレッシャローラをシフトする追加的なシフトユニットが与えられ、シートの横断方向のシフトの場合にシートとカウンタプレッシャローラとの間における相対運動を避けるようにする。この場合、追加的なシフトユニットは、望ましくは共通アクスル（ｃｏｍｍｏｎ  ａｘｌｅ）と連結され、長手方向に沿ってアクスルをシフトするようにする。共通アクスルをシフトすることによって、シフトユニットの特に単純な構成を実施する、ことは可能である。カウンタプレッシャローラの駆動ローラの同期を確実なものとするよう、追加的なシフトユニットは、望ましくはシフトユニットの駆動モータに連結される。
【０００９】
本発明に従った他の実施例において、カウンタプレッシャローラは、駆動ローラの駆動シャフトの長手方向において、装置において固定的に保持される。この実施例において、シフトユニットは必要とされないため、装置の全体的設計が単純化される。この場合、カウンタプレッシャローラは望ましくは、駆動ローラの駆動シャフトの長手方向における伸張部を有する。該伸張部は、駆動ローラの最大シフト範囲に対応し、対向するカウンタプレッシャローラが駆動ローラの全体的な横断方向シフトに対して与えられることを確実なものとする。有利には、駆動ローラのランニング表面の摩擦の係数は、搬送されるべきシートに対して、カウンタプレッシャローラの摩擦係数より大きく、シートの表面を損傷することなくシートの適当な横断方向シフトを可能にする。
【００１０】
本発明に従った一実施例において、駆動ローラのシフトを制御する制御ユニットが与えられる。該制御ユニットは、駆動ローラを開始位置から出るようシフトするよう、またシフト動作後に該駆動ローラを該位置に戻すよう、適している。この結果として、特定の開始位置は、シートの特定の位置付けに対して推測され得るため、装置の制御を実質的に単純化する。望ましくは、センサは、駆動ローラの開始位置の検出に対して与えられ、特定の開始位置が毎回開始位置として使用されることを確実なものとする。
【００１１】
有利には、カウンタプレッシャローラは、駆動ローラの検出において偏倚（バイアス）され、たとえシートの厚さが変化する場合においても、シートのアライメント及び位置付け中に駆動ローラとカウンタプレッシャローラとの間の優れたクランプ作用を確実なものとするようにする。有利には、この偏倚は、カウンタプレッシャローラを担持する共通アクスルに対して中心に配置されるスプリング要素を介して作られ、装置の特定の単純な構造は、達成され得る。
【００１２】
駆動ローラとカウンタプレッシャローラとの間においてシートのフリーフィード（自由供給）を可能にすることができるよう、駆動ローラは、望ましくはセグメントローラ（ｓｅｇｍｅｎｔｅｄ  ｒｏｌｌｅｒｓ）として構成される。該セグメントローラは、シートを解放するよう、周囲から切り欠きされる（ｃｕｔ  ｏｕｔ  ｏｆ  ｔｈｅｉｒ  ｃｉｒｃｕｍｆｅｒｅｎｃｅｓ）少なくとも１つのセグメントを有する。このセグメント化はまた、所望される場合、外部ハンドリング装置を用いてローラ間におけるシートの自由下流方向搬送を可能にする。切り欠きされたセグメント（ｃｕｔ  ｏｕｔ  ｓｅｇｍｅｎｔ）は、望ましくは、駆動ローラの周囲の約１／５乃至１／８を占める。装置内部のシートの優れた案内に対して、少なくとも２つのガイドバッフルが与えられ、それらの間において、２組のローラの接触領域と同一平面において位置決めされるシート案内ギャップを定義付ける。
【００１３】
本発明に従った一実施例において、装置は、駆動ローラを担持する上方部、及びカウンタプレッシャローラを担持する下方部を有する。上方部及び下方部は、装置のシート移動部分（ｓｈｅｅｔ−ｍｏｖｉｎｇ  ｓｅｃｔｉｏｎ）に対するアクセスを可能にするよう、互いに対して動かされ得る。望ましくは、少なくとも１つのガイドバッフルは、上方部において担持され、基本的に１つのガイドバッフルは、下方部において担持され、シート移動部分を制限する。有利には、上方部及び下方部は、ピボット軸に沿って互いに対してピボットされ得、アクセスは、特に単純に、シート移動部分に対して与えられ得る。望ましくは、カウンタプレッシャローラをシフトする駆動要素は、上方部と下方部との間におけるピボット軸の領域において延在し、上方部と下方部との間におけるピボットを駆動要素が損なうことを防ぐようにする。当然のことながら、これは、例えば駆動要素が上方部に対して取り付けられるモータに連結される際であるような、駆動要素が上方部と下方部との間において延在する際にのみ、必要である。あるいは、カウンタプレッシャローラの線形シフト（ｌｉｎｅａｒ  ｓｈｉｆｔ）に対する別個の駆動ユニットは、下方部において与えられ得る。この場合、該別個の駆動ユニットは望ましくは、駆動ローラ及びカウンタプレッシャローラのシフトが同期するよう始動され得る。
【００１４】
望ましくは、当該装置は、位置の検出及び装置におけるシートのアライメントに対する複数のセンサを有し、例えばスキューセンサ、クロストラック位置センサ、搬送方向センサが与えられる。有利には、制御ユニットが与えられ、該制御ユニットは、シート位置及び／又はシートアライメントに応じて、駆動ローラの回転、及び、駆動シャフトに沿った協調シフトを個別に制御するよう適している。そのようにするよう、制御ユニットは、望ましくは複数のセンサに対して接続される。
【００１５】
本発明によって達成されるべき目的はまた、前述された種類の装置におけるシートのアライメントに対する方法を用いて達成され、装置におけるシートのスキューが最初に検出され、必要であればスキュー修正を実行するよう、検出されたスキューに応じて駆動ローラの回転動作が個別に制御される。結果として、シートの前進方向に対して横断するシートの位置は検出され、駆動シャフトに沿った駆動ローラのシフトは、前進方向に対して横断する事前に特定された位置へとシートを動かすよう制御される。駆動ローラの回転動作及び駆動シフトにおける該ローラのシフトの適切な制御を用いて、シートのスキューアライメント並びにシートの横断方向アライメントを達成することが可能となる。
【００１６】
有利には、シートのスキュー位置を検出するよう、シートの先端エッジの位置は、前進方向に対して横断方向に互いから距離をおいた少なくとも２つの点において検出される。夫々の先端エッジの検出間の時差に基づき、検出点間の距離及びシートの搬送速度が既知であるため、シートのスキュー位置を単純且つ精密に検出することは、可能である。
【００１７】
本発明の一実施例において、シートの先端エッジは、まず２つのセンサによって検出される。該２つのセンサは、駆動ローラの上流（シートの前進方向からみて）にあり、また、前進方向に対して横断方向に互いから距離を置く。先端エッジがセンサによって検出される時間における差異に基づき、駆動ローラは、先端エッジから基本的に同一の距離においてその都度シートをつかむよう制御される。例えば、これは、駆動ローラの回転が適時（センサによる先端エッジの検出における時差に対応する）に異なる点において開始される点において達成される。結果として、シートが駆動ローラによってつかまれ次第、シートの先端エッジは、前進方向に対して横断する方向において互いから距離を置く２つのセンサによって、再度検出され得る。シートの前進方向を考慮して、かかるセンサは、駆動ローラによってつかまれた後に先端エッジの検出を可能にするよう、駆動ローラの下流方向に配置される。先端エッジの検出における時差に基づき、夫々の駆動ローラの回転の速度は、シートのスキュー修正を実行するよう制御され得る。しかしながら、駆動ローラはまた、
前進方向からみて、単一の上流におけるセンサの組又は下流におけるセンサの組による先端エッジの検出に基づいて始動され得る。
【００１８】
少なくとも１つのラインセンサは、シートの前進方向に対して横断する方向におけるシートの位置の検出に対して使用される。該ラインセンサは、広い動作範囲にわたってシートの前進方向に対して横断方向の精密な位置を可能にする。望ましくは２つのセンサは、シートの横断方向寸法に依存せず、異なるシートフォーマットが使用される際の正確な位置の検出を容易にするよう、また、特には前進方向に対して横断方向のシートのセンタリングを達成するよう、使用される。
【００１９】
シートのスキュー修正に関して、一方では駆動ローラの回転動作は、望ましくは適時に異なる点において開始され、他方では、駆動ローラは、望ましくは回転の異なる速度において始動される。
【００２０】
シートの潜在的スキュー位置の修正に関して、駆動ローラの適切な横断方向シフトを用いて、シートの横断方向位置の概略的又は一時的同時修正（ｒｏｕｇｈ  ｏｒ  ｔｅｍｐｏｒａｒｙ  ｃｏ−ｃｏｒｒｅｃｔｉｏｎ）を同時に実行することは可能である。横断方向位置の修正又はアライメントを用いるこの同時のスキュー修正又はスキューアライメントの結果として、シートは特に素早くアラインされ得る。横断方向位置に関するその後の修正がスキュー位置の修正に続いて必要となる場合でも、この修正は、潜在的スキュー位置の修正の後に横断方向位置の修正として完全に実行される場合よりも、更に素早く実行され得る。
【００２１】
有利には、駆動ローラは、切り欠きされたセグメントがシートのスキュー修正に続いて同一の回転位置にあるよう始動され、結果としてシートは、その時点で同期している駆動ローラの回転と同時に解放される。有利には、夫々のシートの位置は、その前進方向において検出され、駆動ローラの回転動作は、シートを該シートの前進方向において事前に特定された位置へともたらすよう、制御される。かかる前進方向における位置アライメントは、望ましくは、スキューアライメントに続いて、また、対応する（その後同期する）駆動ローラの始動を用いる横断方向位置に対するアライメントの後に、発生する。この場合、駆動ローラの回転動作の同期始動は、望ましくは、回転動作の速度の同時発生変更を有し、再開始があとに続く回転の停止を有し得る。しかしながら望ましくは、前進方向における位置アライメントは、駆動ローラがシートと係合している間は駆動ローラの回転が停止される必要はない、という点において達成される。
【００２２】
本発明に従った特に望ましい一実施例において、前進方向におけるシートの位置は、電子写真印刷に関して、電子写真印刷フォームの既に稼働している電子写真イメージング（ａｎ  ａｌｒｅａｄｙ  ｒｕｎｎｉｎｇ  ｅｌｅｃｔｒｏｐｈｏｔｏｇｒａｐｈｉｃ  ｉｍａｇｉｎｇ  ｏｆ  ｅｌｅｃｔｒｏｐｈｏｔｏｇｒａｐｈｉｃ  ｐｒｉｎｔｉｎｇ  ｆｏｒｍ）の先端エッジに対して適合され、これは紙が画像のあとに続く工程（ｐａｐｅｒ−ｆｏｌｌｏｗｓ−ｉｍａｇｅ  ｐｒｏｃｅｓｓ）とも称される。この結果として、電子写真印刷フォームの電子写真イメージングは、シートの適切なアライメントの前に既に始められ得、その後、シートは、このイメージングに対して横断方向にアラインされ得る。あるいは、前進方向における位置アライメントを省略すること、及び、画像が電子写真印刷フォームの電子写真イメージングをシートの位置検出に対して適合させることは、当然のことながら可能であり、これも画像が紙のあとに続く工程（ｉｍａｇｅ−ｆｏｌｌｏｗｓ−ｐａｐｅｒ  ｐｒｏｃｅｓｓ）として既知である。
【００２３】
本発明の目的はまた、印刷機の少なくとも１つの印刷ユニットの上流において配置される、前述された種類の装置を有する印刷機によって達成される。
【００２４】
望ましくは、かかる印刷機は電子写真印刷機であり、装置は、電子写真印刷に対するシートの位置を印刷機の電子写真印刷フォームの既に稼働している電子写真イメージングの位置に対して適合させるよう、制御され得る。
【００２５】
以下において、本発明は、本発明の典型的な実施例及び図面を参照して詳述される。
【図面の簡単な説明】
【００２６】
【図１】シートのアライメントに対する本発明に従った装置の背面図である。
【図２】図１に従った装置の前面図である。
【図３】図１に従った装置の平面図である。
【図４】図１に従った装置の側面図である。
【図５ａ】異なる回転の位置における、１組の搬送ローラの概略的側面図である。
【図５ｂ】異なる回転の位置における、１組の搬送ローラの概略的側面図である。
【図６】本発明に従ったシートのアライメントに対する他の装置の背面図である。
【図７】図５に従った装置の側面図である。
【図８】図５中の線Ａ−Ａに沿った断面図である。
【図９】図７中の線Ｂ−Ｂに沿った断面図である。
【図１０ａ】シートのアライメントに対する装置の搬送ローラの組間の軸方向のミスアライメントの例を図示する。
【図１０ｂ】シートのアライメントに対する装置の搬送ローラの組間の軸方向のミスアライメントの例を図示する。
【図１１ａ】本発明に従った一組のローラの概略図である。
【図１１ｂ】図１０ａに従った一組のローラの軸方向のミスアライメントを図示する。
【発明を実施するための形態】
【００２７】
図１は、特には電子写真的に動作する印刷機である印刷機における、シートのアライメントに対する装置１の背面図である。概して、かかる装置１は、適切な印刷ユニット又は複数の印刷ユニットの上流における印刷機を通るシートの動きの経路において位置決めされ、シートのその後の印刷に対してシートの適当なアライメント及び位置付けを与えるようにする。
【００２８】
図２、３及び４は夫々、装置１の前面図、平面図、及び側面図である。以下における説明において、例えば左、右、前方、後方である方向に関する情報は、かかる情報が本発明を制限する意図を有さず、図面における夫々の図解を示す。
【００２９】
装置１は、上方部３及び下方部４を有し、それらの間において、シート搬送平面が定義付けられる。断面平面Ａは、装置を多くの構成要素に関して左右対称である左半分及び右半分に分割する。シート搬送平面の上方及び／又は下方制限を与えるよう、ガイドバッフル６は上方部３において与えられ、ガイドバッフル７は下方部４において与えられる。
【００３０】
２つのピボットピン９によって形成されるピボット軸の領域において、上方部３及び下方部４は、シート搬送平面に対するアクセスを可能にするよう、互いに対してピボットされ得る。ピボットピン９は、装置１を通るシートの搬送又は前進方向（図４中の矢印Ｂを参照）からみて前方端部において位置決めされる。前進方向からみて、装置１の後方端部の領域において、ロッキング装置１２は、搬送平面を定義付ける位置において上方部３及び下方部４を共にロックするよう与えられる。ロッキング装置１２は、図１による前面図においてもっともよく見える。ロッキング装置１２は、上方部３に対して固定されるロッキングピン１３を有し、該ロッキングピンは、スプリング１４を用いてロッキング位置において偏倚される。ロッキング位置において、ピン１３は、下方部４に対して固定されるタブ１５におけるロッキング開口と係合する。
【００３１】
上方部３は、（以下において詳述される通り）２組の搬送ローラを形成する２つの駆動ローラ２０ａ，２０ｂを担持し、下方部４において対応するカウンタプレッシャローラ２２ａ，２２ｂが有される。かかる１組の搬送ローラ２０ａ，２２ａの概略側面図は、図５ａ及び５ｂ中、２つの異なる位置において図示される。
【００３２】
図５による概略的側面図に示される通り、駆動ローラは、切り欠きされたセグメント２４によって遮断される円形形状を有する。図３の平面図に見られ得る通り、この切り欠きされたセグメント２４は、対応するカウンタプレッシャローラに向かって面する際に駆動ローラ２０ａとカウンタプレッシャローラ２２ａとの間におけるシートの妨害されないフィードを確実なものとするよう、配置される。
【００３３】
駆動ローラ２０ａ，２０ｂの各々は、対応するシャフト２９ａ，２９ｂにおいてねじれずに収容される。この配置において、各駆動ローラ２０ａ，２０ｂは、そのシャフト２９ａ，２９ｂにおいて収容される。夫々のシャフト２９ａ，２９ｂは、適切な保持クランプ３０を用いて、これらの内側端部において（横断方向中心平面Ａに対して）回転可能に担持される。シャフト２９ａ，２９ｂは、（装置１の横断方向中心平面Ａに対して）外側端部においてベルトプーリー３２ａ，３２ｂにねじれを有さず接続される。外側端部間において、シャフト２９ａ，２９ｂはまた、例えば参照符号３４において示される通り、１つ又はそれより多くの位置において回転可能に担持され得る。
【００３４】
ベルトプーリー３２ａ，３２ｂの各々は、ベルト３６ａ，３６ｂを介してモータ３８ａ，３８ｂの出力（ｏｕｔｐｕｔ）に連結される。結果として、駆動ローラ２０ａ，２０ｂの各々は、対応するモータ３８ａ，３８ｂを介して回転の方向に応じて個別に始動され得る。
【００３５】
また、夫々接続されるシャフト２９ａ，２９ｂ、ベルトプーリー３２ａ，３２ｂ、ベルト３６ａ，３６ｂ、及びモータ３８ａ，３８ｂは共に、駆動ローラ２０ａ，２０ｂの一方に対する回転ドライブを夫々形成し、２つの別個の動力伝達系、即ち各駆動ローラ２０ａ，２０ｂに対して１つの動力伝達系は、与えられる。
【００３６】
駆動ローラの受容部分において、シャフト２０ａ，２０ｂの各々は、輪郭（ｃｏｎｔｏｕｒ）を有し、シャフト２９ａ，２９ｂと駆動ローラ２０ａ，２０ｂとの間におけるねじれのない接続を可能にする。しかしながら、輪郭は、夫々のシャフト２９ａ，２９ｂにおける駆動ローラの線形シフトを損なわない形状を有する。駆動ローラ２０ａ，２０ｂの各々は、ベアリングケージ３９に接続されるか、あるいはそこに一個構成に設計される。特に図示されないが、ベアリングはベアリングケージ３９において収容され、夫々のシャフト２９ａ，２９ｂにおける夫々の駆動ローラ２０ａ，２０ｂの優れた線形シフトを可能にする。
【００３７】
シャフト２９ａ，２９ｂにおける駆動ローラ２０ａ，２０ｂの適切な線形シフトを可能にするよう、線形シフトユニット４５が与えられる。線形シフトユニット４５は、ベルト４８を介して偏向ローラ５０に対して接続されるモータ４７を有する（図２）。偏向ローラ５０は、同様に、ベルト５２を介して２つの追加的な偏向ローラ５５に接続される。この配置において、偏向ローラ５０，５５は、ベルトが該ローラの周囲に張力をかけられる（ｔｅｎｔｉｏｎｅｄ）際に基本的に（丸い角領域を有する）三角形の形状を有するよう、配置される。偏向ローラ５５間において、ベルト５２は、接続クランプ５８に連結される。接続クランプ５８は、同様に、対応するコネクタ６０及びベアリングケージ３９を介して駆動ローラ２０ａ，２０ｂに連結される。接続クランプ５８と駆動ローラ２０ａ，２０ｂとの間の接続は、駆動ローラが接続クランプ５８に対して自由に回転可能であるが、回転の軸に沿ってそこに剛性に、即ちシフト可能ではないように連結される、ようにされる。結果として、駆動ローラ２０ａ，２０ｂは、接続クランプ５８を介して剛性に接続されるが、互いに対して自由に回転され得る。
【００３８】
結果として、以下に詳述される通り、線形シフトユニット４５は、線形方向において、またシャフト２９ａ，２９ｂにおいて同期して、駆動ローラ２０ａ，２０ｂをシフトすることができるよう配置される。
【００３９】
前述された通り、駆動ローラ２０ａ，２０ｂと共に一組の搬送ローラを形成するカウンタプレッシャローラ２２ａ，２２ｂは、装置１の下方部４において与えられる。カウンタプレッシャローラ２２ａ，２２ｂの各々は、共通アクスル５８において自由に回転可能であるよう担持される。アクスル６８は、例えばスプリング７１を有する偏倚ユニット７０を介して２つのカウンタプレッシャローラ２２ａ，２２ｂ間の中心において（上方部３の方向において）偏倚される。この結果、カウンタプレッシャローラ２２ａ，２２ｂは、駆動ローラ２０ａ，２０ｂに対して偏倚される。具体的に図示されていない終端部（ａｂｕｔｍｅｎｔ）は、駆動ローラの方向におけるカウンタプレッシャローラ２２ａ，２２ｂの動きを制限する。あるいは、当然のことながら、上方部の方向において偏倚ユニットを介して別個にカウンタプレッシャローラを偏倚することは、可能である。
【００４０】
カウンタプレッシャローラ２２ａ，２２ｂは、線形シフトユニットを介して、即ち駆動ローラ２０ａ，２０ｂの線形シフトに対応して、横方向にシフトされ得る。線形シフトユニット７２は、カウンタプレッシャローラ２２ａ，２２ｂを担持するアクスル６８及び偏倚ユニット７０に剛性に接続されるケーブルプル（ｃａｂｌｅ  ｐｕｌｌ）７９を有する。制御された線形シフトを可能にするよう、偏倚ユニット７０及び／又はアクスル６８は、図示されてはいないが、装置１の下方部４において案内される。
【００４１】
ケーブルプル７９は、装置１の上方部と下方部との間において、上方部３における偏向ローラ８２、及び下方部４における偏向ローラ８０にわたって延在する。偏向ローラ８２は、ケーブルプル７９がピボットピン９を介して延在するよう、上方部において配置される。この結果として、下方部と上方部との間に延在するケーブルプル７９は、互いに対して２つの部分のピボットを損なうことがない、ことが確実なものとされ得る。下方部４の領域において、ケーブルプル７９は、下方部４にわたって横断方向において延在し、また、この領域において偏倚ユニット７０及びアクスル６８に連結される。上方部３の領域において、ケーブルプル７９は、装置１に対して横断方向に、上方部と下方部との間のピボット軸に基本的に沿って延在する。中間領域において、ケーブルプル７９は、適切な偏向ローラ８４を介して偏向され、偏向ローラ５５の１つの周囲におけるこの領域において駆動される方途において案内される。後者を介して、ケーブルプル７９は、モータ４７に連結される。したがって、モータ４７の回転動作は、ケーブルプル７９の対応する動きを引き起こし、また、後者を介してカウンタプレッシャローラ２２ａ，２２ｂの対応する動きを引き起こす。この配置において、線形シフトユニット４５，７２は、駆動ローラ２０ａ，２０ｂ及びカウンタプレッシャローラ２２ａ，２２ｂが同期的にシフトされるよう、構成される。あるいは、カウンタプレッシャローラの線形シフトに対して別個のモータを与えることは、可能である。該モータは、例えば下方部に対して取り付けられる。この場合、ケーブルプル７９は省略され得、特に、上方部と下方部との間に延在するかかる要素を与えるためには必要ではない。
【００４２】
ケーブルプル７９が偏向ローラ５５の周囲に案内される領域において、偏向ローラ５５は、タブ８６を有し、その位置は適切なセンサ８８によって検出される。タブ８６の検出された位置に基づき、（当業者には明らかである通り）、偏向ローラ５５のシフト位置、及び駆動ローラ２０ａ，２０ｂ、装置１のカウンタプレッシャローラ２２ａ，２２ｂの対応するシフト位置を確定することは、可能である。当然のことながら、駆動ローラ及び／又はカウンタプレッシャローラに対する位置確定を行うよう他の手段を与えることも、可能である。
【００４３】
シート搬送平面の領域において、装置１は、特にはエッジセンサである２つのセンサを有する第１の組のセンサ（図示せず）を有し、該センサは、シートの前進方向に対して横断する方向で互いから距離を置く。（装置１を通るシートの前進方向からみて）第１の組のセンサは、夫々の組の搬送ローラの上流において配置され、各組は、駆動ローラ２０ａ，２０ｂ及びカウンタプレッシャローラ２２ａ，２２ｂを有する。この結果として、シートの先端エッジの検出は、シートが搬送ローラの組のローラ間に入る前に、可能となる。更には、シート搬送平面の領域において、シートの前進方向に対して横断する方向で互いから距離をおいて配置される２つのセンサを有する、特にはエッジセンサである第２の組のセンサ（図示せず）が与えられる。第２の組のセンサは、装置１を通るシートの前進方向において、夫々の組の搬送ローラの下流に配置され、各組は、駆動ローラ２０ａ，２０ｂ及びカウンタプレッシャローラ２２ａ，２２ｂを有する。一組のセンサの夫々のセンサでの異なる時間におけるシートの先端エッジの検出の結果として、先行技術において既知である通り、シートのスキューエラーは検出され得る。センサの各々は、図示されていない制御装置に連結される。第１の組のセンサは、装置１のシート搬送平面の領域において位置決めされていると説明されたが、対応する組のセンサはまた、上流装置において与えられ得る、ことが留意されるべきである。
【００４４】
更には、装置１は、例えばラインセンサ９０として構成される、横方向エッジセンサを有する。かかる横方向エッジセンサは、シートの横方向エッジの実際の位置、及びシートの横方向位置（即ち前進方向に対して横断方向）を検出することができる。かかる横方向エッジセンサは、装置１を通って動くシートの前進方向からみて（図４中の矢印Ｂ）、搬送ローラの組の上流に配置される。あるいは、該センサはまた、前進方向から見て、搬送ローラの組の下流に配置される。加えて、先端エッジセンサ９１（図１）が与えられ、該センサ９１は、望ましくは装置１におけるシートの前進方向に対して横断する方向で中心において位置決めされる。このセンサは、装置１を通るシートの前進方向からみて、搬送ローラの組の下流に位置決めされる。この先端エッジセンサは、シートの前進方向におけるシートの位置の検出を可能にする。
【００４５】
センサは、センサデータを使用することによって、モータ３８及び／又はモータ４７を始動することができる制御ユニットに対して接続され、駆動ローラ２０ａ，２０ｂの回転、及び任意で駆動ローラ２０ａ，２０ｂ及びカウンタプレッシャローラ２２ａ，２２ｂの線形シフトを可能にする。
【００４６】
上述された装置の動作は、以下において詳述される。まず、印刷されるべきシートは、ガイドバッフル６，７間において左から（図４）フィードされる。この時点で、駆動ローラ２０ａ，２０ｂは、切り欠きされたセグメント２４がカウンタプレッシャローラ２２ａ，２２ｂに面するよう位置付けられ、シートは、駆動ローラ２０ａ，２０ｂとカウンタプレッシャローラ２２ａ，２２ｂとの間において自由に搬送され得る。シートが駆動ローラ２０ａ，２０ｂとカウンタプレッシャローラ２２ａ，２２ｂとの間においてフィードされる前に、先端エッジは、前進方向に対して横断する方向において互いから距離を置く２つの点において第１の組のセンサによって検出される。検出が同時に発生する場合、シートは、スキューを考慮して正しくアラインされ、その後、駆動ローラ２０ａ，２０ｂは、対応する動力伝達系を介して同期的に始動され得、それらの間においてシートを搬送するよう、また装置１を通ってシートを搬送するようにする。
【００４７】
しかしながら、離間されたセンサにおいてシートの先端エッジの時間順に異なる検出によって検出される、スキュー位置が存在すべき場合、駆動ローラ２０ａ，２０ｂは、異なって始動される。特には、夫々の駆動ローラの回転の開始は、駆動ローラ２０ａ，２０ｂがシートの先端エッジから実質的に同一の距離においてシートをつかむよう、（第１のセンサの組によるシートの先端エッジの時間順に異なる検出を使用することによって）初期に制御される。
【００４８】
その後、シートの先端エッジは、前進方向に対して横断する方向において互いから距離を置く２つの点における第２の組のセンサによって検出される。シートのスキューは、第２の組のセンサによる異なる時間でのシートの先端エッジの検出、シートの既知である前進速度、及び既知であるセンサ間の距離に基づいて、確定される。確定されたスキューに基づき、駆動ローラ２０ａ，２０ｂは、異なる速度において始動され、駆動ローラを用いて既知の方途においてシートのスキュー位置を修正する。
【００４９】
シートのスキュー位置の適切な修正に続き、シートの横方向エッジは、対応するラインセンサ９０によって検出される。シートが装置１を通るシートの前進方向に対して横断する方向において適当に（ｐｒｏｐｅｒｌｙ）位置付けられる、ことを横方向エッジ検出が示す場合、装置１に対して横断する方向における駆動ローラ２０ａ，２０ｂ及びカウンタプレッシャローラ２２ａ，２２ｂのシフトは、発生しない。しかしながら、シートが横断方向において適当に位置付けられない、ことを横方向エッジセンサ９０における対応する検出が示す場合、制御ユニットはそれに応じて、シートの対応する適正な横断方向の位置付けが発生するまで、駆動ローラ２０ａ，２０ｂ及びカウンタプレッシャローラ２２ａ，２２ｂの横断方向シフトを与えるよう、モータ４７を始動させる。スキュー及び横断位置の連続的な修正の代りに、かかる２つのパラメータの修正を（少なくとも部分的に同時に）実行することも可能である。例えば、（スキュー修正前及び／又はスキュー修正中に）横断方向の位置の修正に対して使用されるべき横方向エッジ検出を実行することは、可能である。
【００５０】
最後に、シートの先端エッジが再度検出される。この検出に基づき、また、駆動ローラ２０ａ，２０ｂの回転動作の適切な始動によって、前進方向におけるシートの運動は制御され、該シートが事前に特定された時間において連続的な搬送に対して下流装置まで移送されるようにする。結果として、シートは、その前進方向において、（時間に応じて）最終的に位置付けられる。この位置付けは、駆動ローラの回転動作の速度プロファイルの対応する制御を介して行なわれる。その際、回転動作はまた、極限状態において停止され得るが、望ましくは回転動作の停止は避けられるべきである。下流装置に対する移送時において、駆動ローラ２０ａ，２０ｂは望ましくは、切り欠きされたセグメント２４がカウンタプレッシャローラに面するよう位置付けられ、妨げられる連続的搬送が可能な限り少なくなるようにする。続いてシートは、装置１から検出装置下流装置によって事前に特定された速度において搬送され、その後の印刷動作に対してシートをフィードする。その際、装置１から出るシートの搬送は、例えば移送の時間の対応する制御を用いて、電子写真印刷形状の既に稼働している電子写真イメージング（これも紙が画像の後に続く工程として既知である）に対して適合され得る。その際、シートの動きは、電子写真印刷工程において既に完了しているイメージングに対して適合される。しかしながら、印刷工程がシートの位置に対して適合される（これも画像が紙の後に続く工程として既知である）際、シートの前進方向における位置制御によって移送時間の制御を省略することも、可能である。
【００５１】
最終的に、駆動ローラ２０ａ，２０ｂは、開始位置へと戻るよう動かされ、セグメント部分２４は、カウンタプレッシャローラ２２ａ，２２ｂに面し、駆動ローラ２０ａ，２０ｂ及びカウンタプレッシャローラ２２ａ，２２ｂは、装置１の横断方向において事前に特定された位置にある。この場合、事前に特定された位置は、駆動ローラ２０ａ，２０ｂ及びカウンタプレッシャローラ２２ａ，２２ｂが装置１の横断方向中心平面Ａに対して左右対称に配置されるよう、選択される。
【００５２】
図６乃至１１を参照して、印刷機におけるシートのアライメントに対する装置１の他の一実施例は、以下に説明される。図６乃至９に従った典型的な実施例の説明において、同一の参照符号は、同一あるいは同様の要素が与えられる場合に使用される。
【００５３】
装置１は、上方部３及び下方部４を有し、それらの間においてシート搬送平面が確定される。また、ガイドバッフル６は上方部３において与えられ、ガイドバッフル７は下方部４において与えられる。
【００５４】
上方部３及び下方部４は、適切なピボットベアリング９によって形成されるピボット軸の領域において、互いに対してピボットされ得る。同様に、同一の種類及び方途によるロッキング装置１２は、上方部及び下方部を互いに相互にロックするよう与えられる。
【００５５】
上方部３は、２つの駆動ローラ２０ａ，２０ｂを担持し、下方部４において適切なカウンタプレッシャローラ２２ａ，２２ｂを有し、２組の搬送ローラを形成する。
【００５６】
図６中の線Ａ−Ａに沿った断面図を示す図８は、駆動ローラ２０ｂ及びカウンタプレッシャローラ２２ｂ等を有する１組の搬送ローラの概略的側面図である。図８から明らかである通り、駆動ローラ２０ｂは、切り欠きされたセグメント２４を有する。
【００５７】
駆動ローラ２０ａ，２０ｂは、対応するシャフト２９においてねじれを有さずに収容され、各駆動ローラ２０ａ，２０ｂは、シャフト２９ａ，２９ｂにおいて収容される。図８は、シャフト２９ｂがその周囲において２つの切り欠きを有し、シャフト２９ｂの長手方向において延在するドッグ（ｄｏｇ）１００を形成するようにする。ベアリング１０２ｂは、該ドッグの両側部において与えられ、該ベアリングは、適切な固定クランプを介して駆動ローラ２０ｂに剛性に接続される。結果として、ベアリング１０２ｂに対するドッグ１００ｂの係合は、シャフト２９ｂの回転動作を駆動ローラ２０ｂに移送する。しかしながら、ベアリング１２０ｂは、シャフト２９ｂに沿った駆動ローラ２０ｂの長手方向の動きを可能にする。当然のことながら、他の構成も、駆動ローラ２０ｂとシャフト２９ｂとの間においてねじれがなく線形にシフト可能である接続を与えるよう、可能である。
【００５８】
夫々のシャフト２９ａ，２９ｂは、図９による断面図において最もよく見える適切な保持クランプ３０を介して（横断方向中心平面Ａからみて）内側端部において回転可能に担持される。追加的な担持位置は、シャフト２９ａ，２９ｂの長手方向伸張に沿って与えられ得る。シャフトの外側端部は、夫々、１つのベルトプーリー３２ａ，３２ｂに接続される。
【００５９】
更には、シャフト２９ａ，２９ｂの各々は、適切なセンサ１０８によって検出され得るタブ１０６を備えられ、シャフト２９ａ，２９ｂ及び駆動ローラ２０ａ，２０ｂの回転位置を確定することができるようにする。
【００６０】
適切なベルト３６ａ，３６ｂを介して、ベルトプーリー３２ａ，３２ｂの各々は、対応するモータ３８ａ，３８ｂの出力に接続される。結果として、前の典型的な実施例における通り、駆動ローラ２０ａ，２０ｂの各々は、対応するモータ３８ａ，３８ｂを介してその回転方向に関して始動され得る。
【００６１】
図９による断面図において最もよく認識される通り、駆動ローラの各々は、１つのベアリングケージ３９を有し、該ベアリングケージは、シャフト２９ａ，２９ｂにおいて駆動ローラ２０ａ，２０ｂの線形シフトを実行する線形ベアリング１１２を収容する。本発明の他の一実施例において、駆動ローラ２０ａ，２０ｂとシャフト２９ａ，２９ｂとの間のねじれのない接続はまた、キャッチ機能を実施する線形ベアリング１１２を介して達成され得る。この場合、上述されたベアリング１０２ａ，１０２ｂは、省略され得る。
【００６２】
シャフト２９ａ，２９ｂにおける駆動ローラ２０ａ，２０ｂの対応する線形シフトを可能にするよう、第１の典型的な実施例の線形シフトユニット４５と同一の設計を有する線形シフトユニット４５が与えられる。特には、線形シフトユニット４５は、適切なベルトを介して偏向ローラ５０に接続されるモータ４７を有する。この偏向ローラ５０は、同様に、ベルト５２を介して２つの追加的な偏向ローラ５５に対して接続される。この配置において、図６及び９において最もよく見られる通り、偏向ローラ５０，５５は、偏向ローラの周囲において張力をかけられるベルトは、基本的に三角形の形状を示す。偏向ローラ５５間において、ベルトは、接続クランプ５８にしっかりと接続される。接続クランプ５８は、駆動ローラ２０ａ，２０ｂの対応するベアリングケージ３９に接続される。接続クランプ５８とベアリングケージ３９との間の接続は、ベアリングケージ３９が接続クランプ５８に対して回転され得るが横断シフト方向においてそこに剛性に連結リンクされるよう、選択される。これは例えば、接続クランプ５８と駆動ローラ２０ａ，２０ｂのベアリングケージ３９との間における適切なベアリング１２０を介して達成される。結果として駆動ローラ２０ａ，２０ｂは、線形シフトユニット４５を用いてシャフト２９ａ，２９ｂにおいて線形方向にシフトされ得る。
【００６３】
前の典型的な実施例の場合と同様に、駆動ローラ２０ａ，２０ｂと共に一組の搬送ローラを形成するカウンタプレッシャローラ２２ａ，２２ｂは、装置１の下方部４において与えられる。カウンタプレッシャローラ２２ａ，２２ｂは、共通アクスル６８において自由に回転可能であるよう担持される。アクスル６８は、例えば、上方部３の方向において、即ち２つのカウンタプレッシャローラ２２ａ，２２ｂ間において、スプリング７１を有する偏倚ユニット７０を介して偏倚される。しかしながら、前の典型的な実施例とは対照的に、カウンタプレッシャローラ２２ａ，２２ｂは、図６乃至１１による実施例中の下方部４において固定的に保持される。即ち、該カウンタプレッシャローラは、駆動ローラ２０ａ，２０ｂと共に線形方向にシフトされ得ない。その代り、カウンタプレッシャローラ２２ａ，２２ｂは駆動ローラの線形シフトが発生する度に１つの駆動ローラに対向して位置決めされるよう、十分な幅を有する。加えて、カウンタプレッシャローラ２２ａ，２２ｂの表面の摩擦の係数は、アラインされるべきシートに対して、駆動ローラ２０ａ，２０ｂのランニング表面の摩擦係数と比較して更に低い。結果として、駆動ローラ２０ａ，２０ｂの線形シフト中、駆動ローラ２０ａ，２０ｂとカウンタプレッシャローラ２２ａ，２２ｂとの間において位置決めされるシートは、カウンタプレッシャローラ２２ａ，２２ｂに対して、駆動ローラ２０ａ，２０ｂと共にシフトされる。
【００６４】
結果として、図６乃至１１による装置は、カウンタプレッシャローラ２２ａ，２２ｂのシフトが与えられないため、実質的により単純な構造を有する。
【００６５】
図９において更に、また図１１からより詳細に明らかとなる通り、駆動ローラ０のランニング表面は、ボール形状の構造を有する。即ち該表面は、ランニング方向に対して横断する方向において湾曲形状を有し、特には横断方向においてランニング表面を二分する平面において位置付けられる中心を有する円形湾曲形状を有する。駆動ローラ２０のランニング表面のボール形状構造に関する理由は、図１０及び１１を参照して以下に詳述される。図１０は、上方駆動ローラ２０及び下方カウンタプレッシャローラ２２において円筒形として構成されるランニング表面を有する可動のローラの組の２つの概略的前面図を示す。駆動ローラ２０及びカウンタプレッシャローラ２２ａ，２２ｂ２２の夫々の回転の軸が正確に平行なアライメントにない場合、駆動ローラ２０とカウンタプレッシャローラ２０との間のクランピング点は、夫々のローラの幅にわたって異なり得る。図１０ａにおけるアクスルのミスアライメント（ずれ）の場合、クランピング点は外方向に移動し、全体距離が最大に達する。図１０ｂにおけるアクスルのミスアライメントの場合、クランピング点は内方向に移動し、距離は最小に達する。しかしながら、適当なスキュー修正は、クランピング点間の距離が駆動ローラ２０の適切な始動に対して既知であることを必要とするため、クランピング点及びそれらの距離の可変性は、アライメントの問題をもたらし得る。
【００６６】
図１１ａは、ボール形状のランニング表面を有する駆動ローラ２０、及び円筒形として構成されるランニング表面を有するカウンタプレッシャローラ２２を有する一組の搬送ローラを示す。図１１に従ったカウンタプレッシャローラ２２は、駆動ローラ２０より実質的に大きく、駆動ローラのシフトが可能にされる一方でカウンタプレッシャローラが軸方向における位置に留まるようにする、ことが留意されるべきである。図１１ａは、２つのローラ間のクランピング点の１つの位置が軸方向に平行な状態であることを示し、図１１ｂは、軸方向に平行な状態からの偏位の場合におけるクランピング点の１つの位置を示す。明確に認識可能である通り、駆動ローラ２０のランニング表面のボール形状構造は、（例えば駆動ローラ２０の軸方向ミスアライメントの場合においても）駆動ローラ２０とカウンタプレッシャローラ２２との間のクランピングポイントの位置の実質的な変化を防ぐことができる。結果として、アライメント中に高精度が達成され得る。
【００６７】
センサの位置及び数に関し、図６乃至１１に従った実施例は、前述された実施例に類似する。
【００６８】
同様に、図６乃至１１に従った装置１の動作は、カウンタプレッシャローラ２２ａ，２２ｂの横断方向のシフトが発生しないことを除いて、前述された動作に類似する。更には、駆動ローラの対応する横断方向シフトの場合において、シートは、駆動ローラの使用を有して横断方向に動かされる。これは、駆動ローラとシートとの間の摩擦係数がシートとカウンタプレッシャローラ２２ａ，２２ｂのランニング表面との間の摩擦係数より大きいため、可能となる。このことは、対応するランニング表面に対する適切な材料の選択によって達成され得る。
【００６９】
上述された実施例において、駆動ローラ２０ａ，２０ｂは、シャフト２９ａ，２９ｂにおいて、ねじれを有さず且つ線形方向にシフト可能であるよう配置される。しかしながら、本発明の他の実施例において、シャフト２９ａ，２９ｂにおいてねじれを有さず且つ線形方向にシフト可能ではないよう、駆動ローラ２０ａ，２０ｂを配置することも可能である。この場合、シャフト２９ａ，２９ｂは、装置の上方部３において線形方向にシフト可能であるよう配置され得る。更には、シャフト２９ａ，２９ｂは、夫々のベルトプーリー３２ａ，３２ｂにおいて線形方向にシフト可能に収容されるよう配置される一方、ねじれを有さないようそこに接続され続ける。装置１の残る設計は、変更されずに維持され得る。この結果として、駆動ローラ２０ａ，２０ｂの設計は、実質的に単純化され得る。特には、同様にベルトプーリーにおいて与えられ得るベアリングケージ３９は、省略され得る。この結果として、横断方向アライメントに対して横断方向にシフトされるべき要素の全重量は、必要に応じて、更に低減され得る。重量低減は、前に駆動ローラ２０ａ，２０ｂを有するユニットとしてシフトされているベアリングケージ３９及びそこに収容される線形ベアリング１１２よりシャフト２９ａ，２９ｂが低い重量を有する場合にもたらされる。
【００７０】
これまで、本発明は、望ましい実施例を参照して詳述されたが、具体的に示された実施例に制限されることはない。異なる実施例の個別の特性は、互換性がある場合に、自由に入れ替えられ得るか、あるいは組み合わされ得る。
【図１】
2010504260.tif 000003
【図２】
2010504260.tif 000004
【図３】
2010504260.tif 000005
【図４】
2010504260.tif 000006
【図５（Ａ）】
2010504260.tif 000007
【図５（Ｂ）】
2010504260.tif 000008
【図６】
2010504260.tif 000009
【図７】
2010504260.tif 000010
【図８】
2010504260.tif 000011
【図９】
2010504260.tif 000012
【図１０】
2010504260.tif 000013
【図１１（ａ）】
2010504260.tif 000014
【図１１（ｂ）】
2010504260.tif 000015
【国際調査報告】
2010504260.tif 000016
2010504260.tif 000017
2010504260.tif 000018
2010504260.tif 000019
2010504260.tif 000020